(57)【要約】本発明に係る移動局ＵＥは、移動局ＵＥの電力クラスに対応する最大送信電力値と、上り共有チャネル用のリソースブロック数と、上り共有チャネルが確立されている無線基地局ｅＮＢと移動局ＵＥとの間の伝搬損失と、無線基地局ｅＮＢから受信した送信電力制御情報とに基づいて、上り共有チャネルにおける送信電力を決定するように構成されている送信電力決定部１３を具備し、送信電力決定部１３は、無線基地局ｅＮＢから最大許容送信電力値を受信した場合に、移動局ＵＥの電力クラスに対応する最大送信電力値の代わりに、最大許容送信電力値を用いて、上り共有チャネルにおける送信電力を決定するように構成されている。
2010032773.tif 000002
【特許請求の範囲】
【請求項１】
上り共有チャネルにおける送信電力を制御するように構成されている移動局であって、
前記移動局の電力クラスに対応する最大送信電力値と、前記上り共有チャネル用のリソースブロック数と、前記上り共有チャネルの接続先である無線基地局と前記移動局との間の伝搬損失と、前記無線基地局から受信した送信電力制御情報とに基づいて、前記上り共有チャネルにおける送信電力を決定するように構成されている送信電力決定部を具備し、
前記送信電力決定部は、前記無線基地局から最大許容送信電力値を受信した場合に、前記移動局の電力クラスに対応する最大送信電力値の代わりに、該最大許容送信電力値を用いて、前記上り共有チャネルにおける送信電力を決定するように構成されていることを特徴とする移動局。
【請求項２】
上り物理制御チャネルにおける送信電力を制御するように構成されている移動局であって、
前記移動局の電力クラスに対応する最大送信電力値と、前記上り物理制御チャネルの接続先である無線基地局と前記移動局との間の伝搬損失と、前記無線基地局から受信した送信電力制御情報とに基づいて、前記上り物理制御チャネルにおける送信電力を決定するように構成されている送信電力決定部を具備し、
前記送信電力決定部は、前記無線基地局から最大許容送信電力値を受信した場合に、前記移動局の電力クラスに対応する最大送信電力値の代わりに、該最大許容送信電力値を用いて、前記上り物理制御チャネルにおける送信電力を決定するように構成されていることを特徴とする移動局。
【請求項３】
上りリファレンス信号における送信電力を制御するように構成されている移動局であって、
前記移動局の電力クラスに対応する最大送信電力値と、前記上りリファレンス信号と上り共有チャネルとの間の電力オフセットと、前記上りリファレンス信号用のリソースブロック数と、前記上りリファレンス信号の接続先である無線基地局と前記移動局との間の伝搬損失と、前記無線基地局から受信した送信電力制御情報とに基づいて、前記上りリファレンス信号における送信電力を決定するように構成されている送信電力決定部を具備し、
前記送信電力決定部は、前記無線基地局から最大許容送信電力値を受信した場合に、前記移動局の電力クラスに対応する最大送信電力値の代わりに、該最大許容送信電力値を用いて、前記上りリファレンス信号における送信電力を決定するように構成されていることを特徴とする移動局。
【請求項４】
ランダムアクセスチャネルにおける送信電力を制御するように構成されている移動局であって、
前記移動局の電力クラスに対応する最大送信電力値と、プリアンブルフォーマットに対応する電力オフセッと、前記ランダムアクセスチャネルの接続先である無線基地局と前記移動局との間の伝搬損失と、電力ランピング用のオフセットと、プリアンブルの送信回数とに基づいて、前記ランダムアクセスチャネルにおける送信電力を決定するように構成されている送信電力決定部を具備し、
前記送信電力決定部は、前記無線基地局から最大許容送信電力値を受信した場合に、前記移動局の電力クラスに対応する最大送信電力値の代わりに、該最大許容送信電力値を用いて、前記ランダムアクセスチャネルにおける送信電力を決定するように構成されていることを特徴とする移動局。
【請求項５】
前記送信電力決定部は、所定モードで起動している場合にのみ、前記移動局の電力クラスに対応する最大送信電力値の代わりに、前記最大許容送信電力値を用いるように構成されていることを特徴とする請求項１乃至４のいずれか一項に記載の移動局。
【請求項６】
前記送信電力決定部は、所定の無線基地局から前記最大許容送信電力値を受信した場合にのみ、前記移動局の電力クラスに対応する最大送信電力値の代わりに、前記最大許容送信電力値を用いるように構成されていることを特徴とする請求項１乃至４のいずれか一項に記載の移動局。
【請求項７】
上り共有チャネルにおける送信電力を制御するように構成されている移動局と通信を行う無線基地局であって、
前記移動局の電力クラスに対応する最大送信電力値と、前記上り共有チャネル用のリソースブロック数と、前記上り共有チャネルの接続先である無線基地局と前記移動局との間の伝搬損失と、前記無線基地局から受信した送信電力制御情報とに基づいて、前記上り共有チャネルにおける送信電力を決定するように構成されている前記移動局に対して、最大許容送信電力値を通知するように構成されている通知部を具備し、
前記移動局は、前記無線基地局から前記最大許容送信電力値を受信した場合に、前記移動局の電力クラスに対応する最大送信電力値の代わりに、該最大許容送信電力値を用いるように構成されており、
前記無線基地局と前記移動局と通信を行うエリアが所定範囲内のエリアである場合、前記通知部は、前記最大許容送信電力値として、前記移動局の電力クラスに対応する最大送信電力値よりも小さい値を通知するように構成されていることを特徴とする無線基地局。
【発明の詳細な説明】
【技術分野】
【０００１】
本発明は、上りチャネルにおける送信電力を制御するように構成されている移動局及び無線基地局に関する。
【背景技術】
【０００２】
ＬＴＥ（Ｌｏｎｇ  Ｔｅｒｍ  Ｅｖｏｌｕｔｉｏｎ）方式の移動通信システムでは、移動局によって送信可能な上りチャネルおける最大送信電力値が、３ＧＰＰ規格によって規定されている。
【発明の概要】
【発明が解決しようとする課題】
【０００３】
しかしながら、病院内や、飛行機内や、感度の高い測定器や受信器等を用いる研究施設内等の「移動局ＵＥからの電波が、他の電子機器に影響を与える場所」では、上述の最大送信電力値よりも小さい送信電力を、移動局によって送信可能な上りチャネルおける最大送信電力値とすべき場合がある。【０００４】
そこで、本発明は、上述の課題に鑑みてなされたものであり、送信可能な上りチャネルにおける最大送信電力値を柔軟に変更することができる移動局及び無線基地局を提供することを目的とする。
【課題を解決するための手段】
【０００５】
本発明の第１の特徴は、上り共有チャネルにおける送信電力を制御するように構成されている移動局であって、前記移動局の電力クラスに対応する最大送信電力値と、前記上り共有チャネル用のリソースブロック数と、前記上り共有チャネルの接続先である無線基地局と前記移動局との間の伝搬損失と、前記無線基地局から受信した送信電力制御情報とに基づいて、前記上り共有チャネルにおける送信電力を決定するように構成されている送信電力決定部を具備し、前記送信電力決定部は、前記無線基地局から最大許容送信電力値を受信した場合に、前記移動局の電力クラスに対応する最大送信電力値の代わりに、該最大許容送信電力値を用いて、前記上り共有チャネルにおける送信電力を決定するように構成されていることを要旨とする。【０００６】
本発明の第２の特徴は、上り物理制御チャネルにおける送信電力を制御するように構成されている移動局であって、前記移動局の電力クラスに対応する最大送信電力値と、前記上り物理制御チャネルの接続先である無線基地局と前記移動局との間の伝搬損失と、前記無線基地局から受信した送信電力制御情報とに基づいて、前記上り物理制御チャネルにおける送信電力を決定するように構成されている送信電力決定部を具備し、前記送信電力決定部は、前記無線基地局から最大許容送信電力値を受信した場合に、前記移動局の電力クラスに対応する最大送信電力値の代わりに、該最大許容送信電力値を用いて、前記上り物理制御チャネルにおける送信電力を決定するように構成されていることを要旨とする。【０００７】
本発明の第３の特徴は、上りリファレンス信号における送信電力を制御するように構成されている移動局であって、前記移動局の電力クラスに対応する最大送信電力値と、前記上りリファレンス信号と上り共有チャネルとの間の電力オフセットと、前記上りリファレンス信号用のリソースブロック数と、前記上りリファレンス信号の接続先である無線基地局と前記移動局との間の伝搬損失と、前記無線基地局から受信した送信電力制御情報とに基づいて、前記上りリファレンス信号における送信電力を決定するように構成されている送信電力決定部を具備し、前記送信電力決定部は、前記無線基地局から最大許容送信電力値を受信した場合に、前記移動局の電力クラスに対応する最大送信電力値の代わりに、該最大許容送信電力値を用いて、前記上りリファレンス信号における送信電力を決定するように構成されていることを要旨とする。【０００８】
本発明の第４の特徴は、ランダムアクセスチャネルにおける送信電力を制御するように構成されている移動局であって、前記移動局の電力クラスに対応する最大送信電力値と、プリアンブルフォーマットに対応する電力オフセッと、前記ランダムアクセスチャネルの接続先である無線基地局と前記移動局との間の伝搬損失と、電力ランピング用のオフセットと、プリアンブルの送信回数とに基づいて、前記ランダムアクセスチャネルにおける送信電力を決定するように構成されている送信電力決定部を具備し、前記送信電力決定部は、前記無線基地局から最大許容送信電力値を受信した場合に、前記移動局の電力クラスに対応する最大送信電力値の代わりに、該最大許容送信電力値を用いて、前記ランダムアクセスチャネルにおける送信電力を決定するように構成されていることを要旨とする。【０００９】
本発明の第１乃至第４の特徴において、前記送信電力決定部は、所定モードで起動している場合にのみ、前記移動局の電力クラスに対応する最大送信電力値の代わりに、前記最大許容送信電力値を用いるように構成されていてもよい。【００１０】
本発明の第１乃至第４の特徴において、前記送信電力決定部は、所定の無線基地局から前記最大許容送信電力値を受信した場合にのみ、前記移動局の電力クラスに対応する最大送信電力値の代わりに、前記最大許容送信電力値を用いるように構成されていてもよい。【００１１】
本発明の第５の特徴は、上り共有チャネルにおける送信電力を制御するように構成されている移動局と通信を行う無線基地局であって、前記移動局の電力クラスに対応する最大送信電力値と、前記上り共有チャネル用のリソースブロック数と、前記上り共有チャネルの接続先である無線基地局と前記移動局との間の伝搬損失と、前記無線基地局から受信した送信電力制御情報とに基づいて、前記上り共有チャネルにおける送信電力を決定するように構成されている前記移動局に対して、最大許容送信電力値を通知するように構成されている通知部を具備し、前記移動局は、前記無線基地局から前記最大許容送信電力値を受信した場合に、前記移動局の電力クラスに対応する最大送信電力値の代わりに、該最大許容送信電力値を用いるように構成されており、前記無線基地局と前記移動局と通信を行うエリアが所定範囲内のエリアである場合、前記通知部は、前記最大許容送信電力値として、前記移動局の電力クラスに対応する最大送信電力値よりも小さい値を通知するように構成されていることを要旨とする。
【発明の効果】
【００１２】
以上説明したように、本発明によれば、送信可能な上りチャネルおける最大送信電力値を柔軟に変更することができる移動局及び無線基地局を提供することができる。
【図面の簡単な説明】
【００１３】
【図１】図１は、本発明の第１の実施形態に係る移動通信システムの全体構成図である。
【図２】図２は、本発明の第１の実施形態に係る移動局の機能ブロック図である。
【図３】図３は、本発明の第１の実施形態に係る移動局におけるパラメータの設定例について示す図である。
【図４】図４は、本発明の第１の実施形態に係る移動局におけるパラメータの設定例について示す図である。
【図５】図５は、本発明の第１の実施形態に係る移動局においてＰＵＳＣＨにおける送信電力を決定する式の一例について示す図である。
【図６】図６は、本発明の第１の実施形態に係る移動局においてＰＵＣＣＨにおける送信電力を決定する式の一例について示す図である。
【図７】図７は、本発明の第１の実施形態に係る移動局においてＳｏｕｎｄｉｎｇ  ＲＳにおける送信電力を決定する式の一例について示す図である。
【図８】図８は、本発明の第１の実施形態に係る移動局においてＰＲＡＣＨにおける送信電力を決定する式の一例について示す図である。
【図９】図９は、本発明の第１の実施形態に係る無線基地局の機能ブロック図である。
【発明を実施するための形態】
【００１４】
（本発明の第１の実施形態に係る移動通信システム）
図１乃至図８を参照して、本発明の第１の実施形態に係る移動通信システムについて説明する。本発明の第１の実施形態に係る移動通信システムは、ＬＴＥ方式の移動通信システムである。
【００１５】
図１に示すように、本実施形態に係る移動通信システムでは、無線基地局ｅＮＢが、移動局ＵＥに対して、下りリンク共有チャネルＰＤＳＣＨ（Ｐｈｙｓｉｃａｌ  Ｄｏｗｎｌｉｎｋ  Ｓｈａｒｅｄ  Ｃｈａｎｎｅｌ）を介して下りデータ信号を送信し、下り物理制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）を介して下り制御信号を送信するように構成されている。
【００１６】
また、移動局ＵＥは、無線基地局ｅＮＢに対して、上りリンク共有チャネルＰＵＳＣＨ（Ｐｈｙｓｉｃａｌ  Ｕｐｌｉｎｋ  Ｓｈａｒｅｄ  Ｃｈａｎｎｅｌ）を介して上りデータ信号を送信し、上り物理制御チャネルＰＵＣＣＨ（Ｐｈｙｓｉｃａｌ  Ｄｏｗｎｌｉｎｋ  Ｃｏｎｔｒｏｌ  Ｃｈａｎｎｅｌ）を介して上り制御信号を送信するように構成されている。
【００１７】
また、移動局ＵＥは、無線基地局ｅＮＢに対して、物理ランダムアクセスチャネルＰＲＡＣＨ（Ｐｈｙｓｉｃａｌ  Ｒａｎｄｏｍ  Ａｃｃｅｓｓ  Ｃｈａｎｎｅｌ）を介してプリアンブルを送信するように構成されている。さらに、移動局ＵＥは、上りサウンディング用リファレンス信号（Ｓｏｕｎｄｉｎｇ  ＲＳ）を送信するように構成されている。前記上りサウンディング用リファレンス信号Ｓｏｕｎｄｉｎｇ  ＲＳは、例えば、上りリンクにおける送信電力制御や適応変調符号化等に用いられてもよい。
【００１８】
図２に示すように、移動局ＵＥは、パラメータ受信部１１と、モード管理部１２と、送信電力決定部１３と、上りリンク信号送信部１４とを具備している。
【００１９】
パラメータ受信部１１は、無線基地局ｅＮＢから送信される所定パラメータ値を受信するように構成されている。
【００２０】
例えば、パラメータ受信部１１は、所定パラメータ値として、最大許容送信電力値を受信するように構成されている。ここで、パラメータ受信部１１は、報知情報によって、かかる最大許容送信電力値を受信するように構成されていてもよいし、個別のシグナリングによって、かかる最大許容送信電力値を受信するように構成されていてもよい。前記個別のシグナリングは、例えば、ＲＲＣメッセージによって通知されてもよい。
【００２１】
例えば、無線基地局ｅＮＢは、移動局ＵＥにおける上りリンク信号の最大送信電力を小さくする必要がある場合には、最大許容送信電力の値として、１８ｄＢｍとを送信してもよい。或いは、無線基地局ｅＮＢは、移動局ＵＥにおける上りリンク信号の最大送信電力を大きくする必要がある場合、或いは、移動局ＵＥにおける最大送信電力を小さくする必要がない場合には、最大許容送信電力の値として、２３ｄＢｍとを送信してもよい。ここで、前記２３ｄＢｍは、移動局のＰｏｗｅｒ  Ｃｌａｓｓに依存する最大送信電力であってもよい。
【００２２】
すなわち、移動局ＵＥにおける上りリンク信号の最大送信電力を下げる必要がある場合には、最大許容送信電力の値を、移動局のＰｏｗｅｒ  Ｃｌａｓｓに依存する最大送信電力よりも小さい値に設定し、移動局ＵＥにおける上りリンク信号の最大送信電力を上げる必要がある場合、或いは、移動局ＵＥにおける上りリンク信号の最大送信電力を下げる必要がない場合には、最大許容送信電力の値を、より大きい値、又は、移動局のＰｏｗｅｒ  Ｃｌａｓｓに依存する最大送信電力と同一の値に設定する。
【００２３】
また、パラメータ受信部１１は、所定パラメータ値として、パラメータＰＯ＿ＰＵＳＣＨ（ｉ）の値や、パラメータαの値を受信するように構成されている。ここで、パラメータＰＯ＿ＰＵＳＣＨ（ｉ）の値は、サブフレームｉにおけるＰＵＳＣＨの目標ＳＩＲに相当する値と解釈されてもよい。
【００２４】
なお、後述するように、前記パラメータＰＯ＿ＰＵＳＣＨ（ｉ）の値及び前記パラメータαの値は、ＰＵＳＣＨ又は上りサウンディング用リファレンス信号Ｓｏｕｎｄｉｎｇ  ＲＳの送信電力を決定する際に用いられる。
【００２５】
例えば、図３に示すように、無線基地局ｅＮＢは、移動局ＵＥにおける上りリンク信号の送信電力を下げる必要がある場合には、パラメータＰＯ＿ＰＵＳＣＨ（ｉ）の値として「−１１０ｄＢｍ」を送信し、パラメータαの値として「１.０」を送信し、移動局ＵＥにおける上りリンク信号の送信電力を上げる必要がある場合、或いは、移動局ＵＥにおける上りリンク信号の送信電力を下げる必要がない場合には、パラメータＰＯ＿ＰＵＳＣＨ（ｉ）の値として「−１００ｄＢｍ」を送信し、パラメータαの値として「１.０」を送信してもよい。
【００２６】
すなわち、移動局ＵＥにおける上りリンク信号の送信電力を下げる必要がある場合には、パラメータＰＯ＿ＰＵＳＣＨ（ｉ）の値を小さい値に設定し、移動局ＵＥにおける上りリンク信号の送信電力を上げる必要がある場合、或いは、移動局ＵＥにおける上りリンク信号の送信電力を下げる必要がない場合には、パラメータＰＯ＿ＰＵＳＣＨ（ｉ）の値を大きい値に設定する。
【００２７】
また、図４に示すように、無線基地局ｅＮＢは、移動局ＵＥにおける上りリンク信号の送信電力を下げる必要がある場合には、パラメータＰＯ＿ＰＵＳＣＨ（ｉ）の値として「−１１０ｄＢｍ」を送信し、パラメータαの値として「１.０」を送信し、移動局ＵＥにおける上りリンク信号の送信電力を上げる必要がある場合、或いは、移動局ＵＥにおける上りリンク信号の送信電力を下げる必要がない場合には、パラメータＰＯ＿ＰＵＳＣＨ（ｉ）の値として「−８５ｄＢｍ」を送信し、パラメータαの値として「０.８」を送信してもよい。
【００２８】
すなわち、移動局ＵＥにおける上りリンク信号の送信電力を下げる必要がある場合には、パラメータＰＯ＿ＰＵＳＣＨ（ｉ）の値とパラメータαの値を、送信電力が小さくなるような値に設定し、移動局ＵＥにおける上りリンク信号の送信電力を上げる必要がある場合、或いは、移動局ＵＥにおける上りリンク信号の送信電力を下げる必要がない場合には、パラメータＰＯ＿ＰＵＳＣＨ（ｉ）の値とパラメータαの値を、送信電力が大きくなるような値に設定する。
【００２９】
さらに、パラメータ受信部１１は、所定パラメータ値として、パラメータＰＯ＿ＰＵＣＣＨ（ｉ）の値を受信するように構成されている。ここで、パラメータＰＯ＿ＰＵＣＣＨ（ｉ）の値は、サブフレームｉにおけるＰＵＣＣＨの目標ＳＩＲに相当する値と解釈されてもよい。
【００３０】
例えば、無線基地局ｅＮＢは、移動局ＵＥにおける上りリンク信号の送信電力を下げる必要がある場合には、パラメータＰＯ＿ＰＵＣＣＨ（ｉ）の値として「−１２０ｄＢｍ」を送信し、移動局ＵＥにおける上りリンク信号の送信電力を上げる必要がある場合、或いは、移動局ＵＥにおける上りリンク信号の送信電力を下げる必要がない場合には、パラメータＰＯ＿ＰＵＣＣＨ（ｉ）の値として「−１１０ｄＢｍ」を送信してもよい。
【００３１】
すなわち、移動局ＵＥにおける上りリンク信号の送信電力を下げる必要がある場合には、パラメータＰＯ＿ＰＵＣＣＨ（ｉ）の値を小さい値に設定し、移動局ＵＥにおける上りリンク信号の送信電力を上げる必要がある場合、或いは、移動局ＵＥにおける上りリンク信号の送信電力を下げる必要がない場合には、パラメータＰＯ＿ＰＵＣＣＨ（ｉ）の値を大きい値に設定する。
【００３２】
さらに、パラメータ受信部１１は、所定パラメータ値として、パラメータＰＯ＿ｐｒｅ（ｉ）の値を受信するように構成されている。ここで、パラメータＰＯ＿ｐｒｅ（ｉ）の値は、サブフレームｉにおけるＰＲＡＣＨの目標ＳＩＲに相当する値と解釈されてもよい。
【００３３】
例えば、無線基地局ｅＮＢは、移動局ＵＥにおける上りリンク信号の送信電力を下げる必要がある場合には、パラメータＰＯ＿ｐｒｅ（ｉ）の値として「−１１５ｄＢｍ」を送信し、移動局ＵＥにおける上りリンク信号の送信電力を上げる必要がある場合、或いは、移動局ＵＥにおける上りリンク信号の送信電力を下げる必要がない場合には、パラメータＰＯ＿ｐｒｅ（ｉ）の値として「−１０５ｄＢｍ」を送信してもよい。
【００３４】
すなわち、移動局ＵＥにおける上りリンク信号の送信電力を下げる必要がある場合には、パラメータＰＯ＿ｐｒｅ（ｉ）の値を小さい値に設定し、移動局ＵＥにおける上りリンク信号の送信電力を上げる必要がある場合、或いは、移動局ＵＥにおける上りリンク信号の送信電力を下げる必要がない場合には、パラメータＰＯ＿ｐｒｅ（ｉ）の値を大きい値に設定する。
【００３５】
モード管理部１２は、移動局ＵＥのモードを管理するように構成されている。例えば、モード管理部１２は、移動局ＵＥのモードが内線モードであるか否かについて管理するように構成されていてもよい。
【００３６】
或いは、例えば、モード管理部１２は、移動局ＵＥのモードが、Ｈｏｍｅ  Ｎｏｄｅ  Ｂのエリアに在圏するモード或いは、ＣＳＧ（Ｃｌｏｓｅｄ  Ｓｕｂｓｃｒｉｂｅｒ  Ｇｒｏｕｐ）モードであるか否かについて管理するように構成されていてもよい。
【００３７】
ここで、Ｈｏｍｅ  Ｎｏｄｅ  Ｂとは、主に屋内や一般家庭に設置される無線基地局のことを指す。また、ＣＳＧとは、当該無線基地局と通信を行うことのできる、ある特定のユーザの集合のことを指す。すなわち、「ＣＳＧモードである」とは、移動局ＵＥが、自局がＣＳＧに属している無線基地局のエリアに在圏していることを意味する。
【００３８】
送信電力決定部１３は、上りリンク信号の送信電力を決定するように構成されている。
【００３９】
具体的には、送信電力決定部１３は、移動局ＵＥの電力クラス（Ｐｏｗｅｒ  Ｃｌａｓｓ）に対応する最大送信電力値Ｐｍａｘと、サブフレームｉにおける上り共有チャネルＰＵＳＣＨ用のリソースブロック数ＭＰＵＳＣＨ（ｉ）と、パラメータＰＯ＿ＰＵＳＣＨ（ｉ）と、パラメータαと、上り共有チャネルＰＵＳＣＨの接続先である無線基地局ｅＮＢと移動局ＵＥとの間の伝搬損失ＰＬと、ＭＣＳに応じたオフセット値と、無線基地局ｅＮＢから受信したサブフレームｉに係る送信電力制御情報ｆ（ｉ）とに基づいて、上り共有チャネルＰＵＳＣＨにおける送信電力ＰＰＵＳＣＨ（ｉ）を決定するように構成されている。
【００４０】
例えば、送信電力決定部１３は、図５に示す（式１）によって、上り共有チャネルＰＵＳＣＨにおける送信電力ＰＰＵＳＣＨ（ｉ）を決定するように構成されている。
【００４１】
ここで、送信電力決定部１３は、無線基地局ｅＮＢから最大許容送信電力値を受信した場合に、移動局ＵＥの電力クラスに対応する最大送信電力値Ｐｍａｘの代わりに、かかる最大許容送信電力値を用いて、上り共有チャネルＰＵＳＣＨにおける送信電力ＰＰＵＳＣＨ（ｉ）を決定するように構成されていてもよい。
【００４２】
また、上述したように、前記パラメータＰＯ＿ＰＵＳＣＨ（ｉ）及び前記パラメータαは、移動局ＵＥにおける上りリンク信号の送信電力を下げる必要がある場合と、移動局ＵＥにおける上りリンク信号の送信電力を下げる必要がない場合とで、図３又は図４に示す値が設定されてもよい。
【００４３】
また、送信電力決定部１３は、移動局の電力クラスに対応する最大送信電力値Ｐｍａｘと、パラメータＰＯ＿ＰＵＣＣＨ（ｉ）と、上り物理制御チャネルＰＵＣＣＨの接続先である無線基地局ｅＮＢと移動局ＵＥとの間の伝搬損失ＰＬと、ＰＵＣＣＨの送信フォーマットに応じたオフセット値と、無線基地局ｅＮＢから受信したサブフレームｉに係る送信電力制御情報ｇ（ｉ）とに基づいて、上り物理制御チャネルＰＵＣＣＨにおける送信電力ＰＰＵＣＣＨ（ｉ）を決定するように構成されている。
【００４４】
例えば、送信電力決定部１３は、図６に示す（式２）によって、上り物理制御チャネルＰＵＣＣＨにおける送信電力ＰＰＵＣＣＨ（ｉ）を決定するように構成されている。
【００４５】
尚、（式２）において、さらに、「ｈ（n）」の項が足されてもよい。ここで、「ｈ（ｎ）」は、ＰＵＣＣＨのフォーマットに依存する関数であり、その引数である「ｎ」は、ＣＱＩやＡＣＫ等の制御信号のビット数であってもよい。すなわち、「ｈ（ｎ）」の値は、例えば、ＰＵＣＣＨのフォーマットとそのＰＵＣＣＨにマッピングされる制御信号のビット数に基づいて決定されてもよい。
【００４６】
ここで、送信電力決定部１３は、無線基地局ｅＮＢから最大許容送信電力値を受信した場合に、移動局ＵＥの電力クラスに対応する最大送信電力値Ｐｍａｘの代わりに、かかる最大許容送信電力値を用いて、上り物理制御チャネルＰＵＣＣＨにおける送信電力ＰＰＵＣＣＨ（ｉ）を決定するように構成されている。
【００４７】
また、上述したように、前記パラメータＰＯ＿ＰＵＣＣＨ（ｉ）は、移動局ＵＥにおける上りリンク信号の送信電力を下げる必要がある場合に、小さい値に設定され、移動局ＵＥにおける上りリンク信号の送信電力を下げる必要がない場合に、大きい値に設定されてもよい。
【００４８】
また、送信電力決定部１３は、移動局ＵＥの電力クラスに対応する最大送信電力値Ｐｍａｘと、上りサウンディング用リファレンス信号Ｓｏｕｎｄｉｎｇ  ＲＳと上り共有チャネルＰＵＳＣＨとの間の電力オフセットＰＳＲＳ＿ＯＦＦＳＥＴと、上りサウンディング用リファレンス信号Ｓｏｕｎｄｉｎｇ  ＲＳ用のリソースブロック数ＭＳＲＳと、パラメータＰ０＿ＰＵＳＣＨと、パラメータαと、上りサウンディング用リファレンス信号Ｓｏｕｎｄｉｎｇ  ＲＳの接続先である無線基地局ｅＮＢと移動局ＵＥとの間の伝搬損失ＰＬと、無線基地局ｅＮＢから受信したサブフレームｉに係る送信電力制御情報ｆ（ｉ）とに基づいて、上りサウンディング用リファレンス信号Ｓｏｕｎｄｉｎｇ  ＲＳにおける送信電力ＰＳＲＳ（ｉ）を決定するように構成されている。
【００４９】
例えば、送信電力決定部１３は、図７に示す（式３）によって、上りサウンディング用リファレンス信号Ｓｏｕｎｄｉｎｇ  ＲＳにおける送信電力ＰＳＲＳ（ｉ）を決定するように構成されている。
【００５０】
ここで、送信電力決定部１３は、無線基地局ｅＮＢから最大許容送信電力値を受信した場合に、移動局ＵＥの電力クラスに対応する最大送信電力値Ｐｍａｘの代わりに、かかる最大許容送信電力値を用いて、上りサウンディング用リファレンス信号Ｓｏｕｎｄｉｎｇ  ＲＳにおける送信電力ＰＳＲＳ（ｉ）を決定するように構成されている。
【００５１】
また、上述したように、前記パラメータＰＯ＿ＰＵＳＣＨ（ｉ）及び前記パラメータαは、移動局ＵＥにおける上りリンク信号の送信電力を下げる必要がある場合と、移動局ＵＥにおける上りリンク信号の送信電力を下げる必要がない場合とで、図３又は図４に示す値が設定されてもよい。
【００５２】
また、送信電力決定部１３は、移動局ＵＥの電力クラスに対応する最大送信電力値Ｐｍａｘと、プリアンブルフォーマットに対応する電力オフセットΔ＿ｐｒｅａｍｂｌｅと、ランダムアクセスチャネルＰＲＡＣＨの接続先である無線基地局ｅＮＢと移動局ＵＥとの間の伝搬損失ＰＬと、パラメータＰ０＿ｐｒｅと、電力ランピング用のオフセットｄＰ＿ｒａｍｐｕｐと、プリアンブルの送信回数Ｎ＿ｐｒｅとに基づいて、ランダムアクセスチャネルＰＲＡＣＨにおける送信電力Ｐｐｒａｃｈを決定するように構成されている。
【００５３】
例えば、送信電力決定部１３は、図８に示す（式４）によって、ランダムアクセスチャネルＰＲＡＣＨにおける送信電力Ｐｐｒａｃｈを決定するように構成されている。
【００５４】
ここで、送信電力決定部１３は、無線基地局ｅＮＢから最大許容送信電力値を受信した場合に、移動局ＵＥの電力クラスに対応する最大送信電力値Ｐｍａｘの代わりに、かかる最大許容送信電力値を用いて、ランダムアクセスチャネルＰＲＡＣＨにおける送信電力Ｐｐｒａｃｈを決定するように構成されている。
【００５５】
また、上述したように、前記パラメータＰＯ＿ｐｒｅ（ｉ）は、移動局ＵＥにおける上りリンク信号の送信電力を下げる必要がある場合に、小さい値に設定され、移動局ＵＥにおける上りリンク信号の送信電力を下げる必要がない場合に、大きい値に設定されてもよい。
【００５６】
また、送信電力決定部１３は、所定モード（例えば、内線モード）で起動している場合にのみ、移動局ＵＥの電力クラスに対応する最大送信電力値Ｐｍａｘの代わりに、上述の最大許容送信電力値を用いるように構成されていてもよい。
【００５７】
さらに、送信電力決定部１３は、所定の無線基地局（例えば、Ｈｏｍｅ  Ｎｏｄｅ  Ｂ）から最大許容送信電力値を受信した場合にのみ、移動局ＵＥの電力クラスに対応する最大送信電力値Ｐｍａｘの代わりに、上述の最大許容送信電力値を用いるように構成されていてもよい。
【００５８】
或いは、前記最大許容送信電力値は常に無線基地局ｅＮＢから移動局ＵＥに対して通知され、移動局ＵＥにおける上りリンク信号の送信電力を下げる必要がある場合には、最大許容送信電力値として、移動局ＵＥの電力クラスに対応する最大送信電力値Ｐｍａｘのよりも小さい値が通知され、移動局ＵＥにおける上りリンク信号の送信電力を下げる必要がない場合には、最大許容送信電力値として、移動局ＵＥの電力クラスに対応する最大送信電力値Ｐｍａｘと同一の値が通知されてもよい。
【００５９】
この場合、送信電力決定部１３は、常に、移動局ＵＥの電力クラスに対応する最大送信電力値Ｐｍａｘの代わりに、上述の最大許容送信電力値を用いるように構成されていてもよい。
【００６０】
上りリンク信号送信部１４は、送信電力決定部１３によって決定された送信電力で、上り共有チャネルＰＵＳＣＨを介する上りデータ信号や、上り物理制御チャネルＰＵＣＣＨを介する上り制御信号や、上りサウンディング用リファレンス信号Ｓｏｕｎｄｉｎｇ  ＲＳや、ランダムアクセスチャネルＰＲＡＣＨを介するプリアンブルを送信するように構成されている。
【００６１】
図９に示すように、無線基地局ｅＮＢは、パラメータ通知部２１とモード設定部２２とを具備している。
【００６２】
パラメータ通知部２１は、移動局ＵＥに対して所定パラメータ値を通知するように構成されている。ここで、前記所定パラメータ値は、報知情報によって、通知されていてもよいし、個別のシグナリングによって、通知されてもよい。前記個別のシグナリングは、例えば、ＲＲＣメッセージによって伝送されてもよい。
【００６３】
例えば、パラメータ通知部２１は、所定パラメータ値として、最大許容送信電力値を通知するように構成されている。
【００６４】
ここで、パラメータ通知部２１は、移動局ＵＥにおける上りリンク信号の最大送信電力を下げる必要がある場合には、最大許容送信電力の値として、移動局のＰｏｗｅｒ  Ｃｌａｓｓに依存する最大送信電力よりも小さい値を通知し、移動局ＵＥにおける上りリンク信号の最大送信電力を上げる必要がある場合、或いは、移動局ＵＥにおける上りリンク信号の最大送信電力を下げる必要がない場合には、最大許容送信電力の値として、より大きい値、又は、移動局のＰｏｗｅｒ  Ｃｌａｓｓに依存する最大送信電力と同一の値を通知してもよい。なお、前記最大許容送信電力の値の設定例は、パラメータ受信部１１における説明と同一であるため省略する。
【００６５】
或いは、パラメータ通知部２１は、所定パラメータ値として、パラメータＰＯ＿ＰＵＳＣＨ（ｉ）の値や、パラメータαの値を通知するように構成されている。ここで、パラメータＰＯ＿ＰＵＳＣＨ（ｉ）の値は、サブフレームｉにおけるＰＵＳＣＨの目標ＳＩＲに相当する値と解釈されてもよい。
【００６６】
なお、後述するように、前記パラメータＰＯ＿ＰＵＳＣＨ（ｉ）の値及び前記パラメータαの値は、ＰＵＳＣＨ又は上りサウンディング用リファレンス信号Ｓｏｕｎｄｉｎｇ  ＲＳの送信電力を決定する際に用いられる。
【００６７】
ここで、パラメータ通知部２１は、移動局ＵＥにおける上りリンク信号の送信電力を下げる必要がある場合には、パラメータＰＯ＿ＰＵＳＣＨ（ｉ）の値とパラメータαの値として、送信電力が小さくなるような値を通知し、移動局ＵＥにおける上りリンク信号の送信電力を上げる必要がある場合、或いは、移動局ＵＥにおける上りリンク信号の送信電力を下げる必要がない場合には、パラメータＰＯ＿ＰＵＳＣＨ（ｉ）の値とパラメータαの値として、送信電力が大きくなるような値を通知してもよい。なお、前記パラメータＰＯ＿ＰＵＳＣＨ（ｉ）の値と前記パラメータαの値の設定例は、図３及び図４における説明と同一であるため省略する。
【００６８】
或いは、パラメータ通知部２１は、所定パラメータ値として、パラメータＰＯ＿ＰＵＣＣＨ（ｉ）の値を通知するように構成されている。ここで、パラメータＰＯ＿ＰＵＣＣＨ（ｉ）の値は、サブフレームｉにおけるＰＵＣＣＨの目標ＳＩＲに相当する値と解釈されてもよい。
【００６９】
ここで、パラメータ通知部２１は、移動局ＵＥにおける上りリンク信号の送信電力を下げる必要がある場合には、パラメータＰＯ＿ＰＵＣＣＨ（ｉ）の値として、送信電力が小さくなるような値、すなわち、小さい値を通知し、移動局ＵＥにおける上りリンク信号の送信電力を上げる必要がある場合、或いは、移動局ＵＥにおける上りリンク信号の送信電力を下げる必要がない場合には、パラメータＰＯ＿ＰＵＣＣＨ（ｉ）の値として、送信電力が大きくなるような値、すなわち、大きい値を通知してもよい。なお、前記パラメータＰＯ＿ＰＵＣＣＨ（ｉ）の値の設定例は、パラメータ受信部１１における説明と同一であるため省略する。
【００７０】
或いは、パラメータ通知部２１は、所定パラメータ値として、パラメータＰＯ＿ｐｒｅ（ｉ）の値を通知するように構成されている。ここで、パラメータＰＯ＿ｐｒｅ（ｉ）の値は、サブフレームｉにおけるＰＲＡＣＨの目標ＳＩＲに相当する値と解釈されてもよい。
【００７１】
ここで、パラメータ通知部２１は、移動局ＵＥにおける上りリンク信号の送信電力を下げる必要がある場合には、パラメータＰＯ＿ｐｒｅ（ｉ）の値として、送信電力が小さくなるような値、すなわち、小さい値を通知し、移動局ＵＥにおける上りリンク信号の送信電力を上げる必要がある場合、或いは、移動局ＵＥにおける上りリンク信号の送信電力を下げる必要がない場合には、パラメータＰＯ＿ｐｒｅ（ｉ）の値として、送信電力が大きくなるような値、すなわち、大きい値を通知してもよい。なお、前記パラメータＰＯ＿ｐｒｅ（ｉ）の値の設定例は、パラメータ受信部１１における説明と同一であるため省略する。
【００７２】
なお、上述した、移動局ＵＥにおける上りリンク信号の送信電力を下げる必要があるか否かについての情報は、モード設定部２２より通知される。すなわち、通知部２１は、モード設定部２２より通知される「移動局ＵＥにおける上りリンク信号の送信電力を下げる必要があるか否かについての情報」に基づいて、前記所定パラメータ値を通知する。
【００７３】
モード設定部２２は、移動局ＵＥにおける上りリンク信号の送信電力を下げる必要があるか否かを判定し、その判定結果をパラメータ通知部２１に通知するように構成されている。
【００７４】
例えば、モード設定部２２は、該無線基地局ｅＮＢが移動通信サービスを提供するエリア（サービスエリア）に、病院や飛行機、電車、感度の高い測定器や受信器等を用いる建物等が含まれる場合に、移動局ＵＥにおける上りリンク信号の送信電力を下げる必要があると判定してもよい。
【００７５】
或いは、モード設定部２２は、無線基地局ｅＮＢが、病院の中や、飛行機の中、電車の中、感度の高い測定器や受信器等を用いる建物の中に設置されている場合に、移動局ＵＥにおける上りリンク信号の送信電力を下げる必要があると判定してもよい。
【００７６】
なお、前記病院の中や飛行機の中、感度の高い測定器や受信器等を用いる建物は、より広い意味で、「移動局ＵＥからの電波が他の電子機器に影響を与える場所」と定義されてもよい。
【００７７】
或いは、モード設定部２２は、該無線基地局ｅＮＢが、Ｈｏｍｅ  Ｎｏｄｅ  Ｂである場合に、移動局ＵＥにおける上りリンク信号の送信電力を下げる必要があると判定してもよい。或いは、モード設定部２２は、該無線基地局ｅＮＢが移動通信サービスを提供するエリアが、ＣＳＧセルである場合に、移動局ＵＥにおける上りリンク信号の送信電力を下げる必要があると判定してもよい。ここで、ＣＳＧセルとは、ある特定のグループに属するユーザのみが通信を行うことのできるセルのことである。
【００７８】
或いは、モード設定部２２は、内線モードで通信を行う移動局に関して、該移動局ＵＥにおける上りリンク信号の送信電力を下げる必要があると判定してもよい。この場合、該移動局ＵＥに対して、前記所定パラメータ値が、個別のシグナリングにより通知されてもよい。
【００７９】
或いは、モード設定部２２は、無線基地局ｅＮＢが、内線モードの通信を提供する場合に、移動局ＵＥにおける上りリンク信号の送信電力を下げる必要があると判定してもよい。
【００８０】
（本発明の第１の実施形態に係る移動通信システムの作用・効果）
本実施形態に係る移動通信システムによれば、病院内や、飛行機内や、感度の高い測定器や受信器等を用いる研究施設内等の「移動局ＵＥからの電波が、他の電子機器に影響を与える場所」において、無線基地局ｅＮＢが、最大許容送信電力によって、移動局ＵＥにおいて送信可能な最大送信電力を下げることができる。
【００８１】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８２】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８３】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネンとして移動局ＵＥや無線基地局ｅＮＢ内に設けられていてもよい。
【００８４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【図１】
2010032773.tif 000003
【図２】
2010032773.tif 000004
【図３】
2010032773.tif 000005
【図４】
2010032773.tif 000006
【図５】
2010032773.tif 000007
【図６】
2010032773.tif 000008
【図７】
2010032773.tif 000009
【図８】
2010032773.tif 000010
【図９】
2010032773.tif 000011
【国際調査報告】
2010032773.tif 000012
2010032773.tif 000013
2010032773.tif 000014
2010032773.tif 000015